(57)【要約】      （修正有）【課題】簡素な構成で広配光にかつ安価に形成可能な発光装置およびこの発光装置を具備する照明器具を提供する。【解決手段】発光装置１は、基板８の一面８ａ側であって基板８の中心部の周りに基板８の周方向に沿って実装された発光素子９を有する発光体２と、一端側４ａに給電部２９および他端側４ｂに基板取付部が設けられ、基板取付部に基板８の他面８ｂ側が面するように発光体２が取り付けられた筐体４と、発光体２を覆うように筐体４の他端側４ｂに取り付けられる透光性のカバー本体部４３およびカバー本体部４３の中央部から基板８の中心部に向かい基板８の一面８ａ側に接触しないように突設された柱状または錐状の突出部４４を有するカバー体６と、を具備している。【選択図】図１
2015191815.tif 000002
【特許請求の範囲】
【請求項１】
基板およびこの基板の一面側であって前記基板の中心部の周りに前記基板の周方向に沿って実装された発光素子を有する発光体と；  一端側に給電部および他端側に基板取付部が設けられ、この基板取付部に前記基板の他面側が面するように前記発光体が取り付けられた筐体と；  前記発光体を覆うように前記筐体の他端側に取り付けられ
る透光性のカバー本体部およびこのカバー本体部の中央部から前記基板の中心部に向かい前記基板の一面側に接触しないように突設された柱状または錐状の突出部を有するカバー体と；を具備していることを特徴とする発光装置。
【請求項２】
前記突出部の先端に対向する前記基板の一面側には、前記発光素子が配置されていないとともに、前記突出部の先端と前記基板の一面側との距離が０ｍｍよりも大きく１０ｍｍ以下であることを特徴とする請求項１記載の発光装置。
【請求項３】
基板およびこの基板の一面側であって前記基板の中心部の周りに前記基板の周方向に沿って実装された発光素子を有する発光体と；  一端側に給電部および他端側に基板取付部が設けられ、この基板取付部に前記基板の他面側が面するように前記発光体が取り付けられた筐体と；  前記発光体を覆うように前記筐体の他端側に取り付けられる透光性のカバー本体部、このカバー本体部の中央部から前記基板の中心部に向かって突設された柱状または錐状の突出部およびこの突出部の先端側に前記基板の一面側に接触しないように設けられ前記発光素子の放射光を前記カバー本体部の前記基板取付部側に反射するように形成された反射部を有するカバー体と；を具備していることを特徴とする発光装置。
【請求項４】
前記筐体の給電部が口金であり、前記筐体内に前記発光素子を点灯する点灯装置が収納されている請求項１ないし３いずれか一記載の発光装置と；  この発光装置の前記給電部が接続されるソケットを有する器具本体と；を具備していることを特徴とする照明器具。
【発明の詳細な説明】
【技術分野】
【０００１】
本発明の実施形態は、半導体発光素子を光源とする発光装置およびこの照明装置を配設する照明器具に関する。
【背景技術】
【０００２】
例えば、ＬＥＤ（発光ダイオード）を光源とするＬＥＤ電球（発光装置）は、基板にＬＥＤが実装された発光体（ＬＥＤモジュール）、一端側に口金を配設し他端側に発光体を取り付けている筐体、筐体内に収納した点灯装置および発光体を覆って筐体の他端側に取り付けられたカバー体（グローブ）を有して形成されている。そして、ＬＥＤ電球には、指向性を有するＬＥＤに対して広配光を得るために、カバー体に拡散性粒子を含有するものを使用したり、発光体に反射体やレンズなどを具備してＬＥＤの光を制御しているものがある（例えば特許文献１参照。）。
【先行技術文献】
【特許文献】
【０００３】
【特許文献１】特開２０１３−２０８１３号公報（第６頁、第１図）
【発明の概要】
【発明が解決しようとする課題】
【０００４】
拡散性粒子を含有するカバー体は、透過率が低下するので、ＬＥＤ電球から放射される全光束が減少するという問題がある。また、発光体に反射体やレンズなどの光制御手段を設けると、部品点数が多くなるとともに発光体側での構造が複雑となって、ＬＥＤ電球をコストアップさせるという欠点を有する。  
【０００５】
本実施形態は、簡素な構成で広配光にかつ安価に形成可能な発光装置およびこの発光装置を具備する照明器具を提供することを目的とする。
【課題を解決するための手段】
【０００６】
本実施形態の発光装置は、発光体、筐体およびカバー体を有して構成される。発光体は、基板および発光素子を有してなる。発光素子は、基板の一面側であって基板の中心部の周りに基板の周方向に沿って実装される。発光素子は、発光ダイオード（ＬＥＤ）や有機エレクトロルミネッセンス（ＥＬ）素子などである。筐体は、一端側に給電部が設けられ、他端側に基板取付部が設けられる。発光体は、基板の他面側が基板取付部に面するように取り付けられる。  
【０００７】
カバー体は、透光性のカバー本体部および突出部を有してなる。カバー本体部は、発光体を覆うように筐体の他端側に取り付けられる。突出部は、柱状または錐状に形成され、カバー本体部の中央部から発光体の基板の中心部に向かい基板の一面側に接触しないように突設されている。
【発明の効果】
【０００８】
本実施形態の発光装置によれば、発光素子の放射光の一部は、カバー体のカバー本体部から前面側の外部空間に放射され、放射光の一部は、カバー体の突出部に入射してカバー本体部の一端側に反射されて筐体側の外部空間に放射されるので、カバー体に突出部を設ける簡素な構成により、広配光となることが期待できる。
【図面の簡単な説明】
【０００９】
【図１】本発明の第１の実施形態を示す発光装置の概略側断面図である。
【図２】同上、発光装置のカバー体を取り外した状態の概略上面図である。
【図３】本発明の第２の実施形態を示す発光装置の概略側断面図である。
【図４】本発明の第３の実施形態を示す照明器具の一部切り欠き概略側面図である。
【発明を実施するための形態】
【００１０】
以下、本発明の一実施の形態について、図面を参照して説明する。まず、本発明の第１の実施形態について説明する。  
【００１１】
本実施形態の発光装置１は、例えば電球用ソケットに着脱されるＬＥＤ電球であり、図１に示すように、発光体２、取付け体３を有する筐体４、点灯装置５およびカバー体６を有して構成されている。  
【００１２】
発光体２は、基板８および発光素子としての複数個のＬＥＤ９を有して形成されている。基板８は、高熱伝導率を有する金属板、例えば厚さ１．０ｍｍのアルミニウム（Ａｌ）板からなり、図２に示すように、円盤に形成されている。そして、基板８は、その一面８ａに不図示の絶縁層が形成され、この絶縁層上に複数個のＬＥＤ９が実装されている。複数個のＬＥＤ９は、基板８の中心８ｃに対して同心円状となり、基板８の周方向に沿ってほぼ等間隔となるように設けられている。そして、複数個のＬＥＤ９は、絶縁層上に形成された不図示の配線パターンにより直列接続されて、絶縁層上に設けられたコネクタ１１に接続されている。直列接続されたＬＥＤ９は、コネクタ１１に電気接続されたコネクタ１２付きの出力線１３により、点灯装置５に接続されている。ＬＥＤ９は、パッケージ品であり、例えば白色光を放射するものが用いられている。  
【００１３】
ＬＥＤ９およびコネクタ１１の周りの絶縁層上には、配線パターン等を絶縁する例えば白色レジスト１４が塗布されている。そして、基板８の外周縁８ｄには、中心８ｃに対して等間隔、本実施形態では１２０°間隔で、複数個（３個）の切り欠き部１５が形成されている。基板８（発光体２）は、切り欠き部１５において、ねじ１６により放熱板２０に固定されている。  
【００１４】
筐体４は、図１に示すように、本実施形態においては、高熱伝導率を有する金属材料例えばアルミニウム（Ａｌ）からなる外ケース１７と、取付け体３とから形成されている。筐体４は、全体として、一端側４ａから他端側４ｂに緩やかに径大する略逆円錐台の筒状に形成されている。そして、外ケース１７は、その他端側４ｂに内側に突出するボス１８が設けられている。このボス１８は、周回方向に１２０゜間隔で３個が形成されている。  
【００１５】
また、外ケース１７の他端側４ｂの内面４ｅには、嵌合凹部１９が周回方向に等間隔で複数個形成されている。そして、外ケース１７の他端側４ｂの端面４ｄは、平面に形成されている。外ケース１７は、アルミダイキャストにより、上述のように成型されている。  
【００１６】
そして、筐体４（外ケース１７）の端面４ｄに放熱板２０が載せられている。放熱板２０は、不図示の接着剤例えばシリコーン接着剤により、端面４ｄに固定されている。放熱板２０は、高熱伝導率を有する比較的肉厚の金属板例えばアルミニウム板からなり、図２に示すように、円盤状に形成されている。放熱板２０の表面２０ａは、筐体４の平面状の基板取付部としての基板取付面２２となっている。そして、基板取付面２２には、発光体２が複数個のねじ１６により取り付けられている。発光体２は、基板８の他面側８ｂ（図１に示す。）が基板取付面２２に面して密接するように取り付けられている。  
【００１７】
また、放熱板２０は、その外周縁２０ｄ側に、例えば長方形の挿通口２３が形成されている。この挿通口２３から点灯装置５の出力線１３が筐体４の内部から基板取付面２２側に導出されて、出力線１３のコネクタ１２が発光体２のコネクタ１１に接続されている。また、放熱板２０の外周縁２０ｄには、後述するカバー体６の係止爪２４を通す切り欠き部２５が形成されている。切り欠き部２５は、外周方向に等間隔となるように、本実施形態では９０°間隔に形成されている。また、放熱板２０は、図１に示すように、筐体４の外ケース１７との間でカバー体６の係止爪２４を係止する係止溝２６を形成するように、外形の大きさが設定されている。なお、外ケース１７は、熱伝導性の良好な樹脂またはセラミクスなどで形成されてもよい。  
【００１８】
外ケース１７内には、その他端側４ｂから取付け体３が挿入されて取り付けられている。取付け体３は、一端側３ａが略円筒状に形成され、他端側３ｂが外ケース１７の内面４ｅに密接する外形形状の筒状に形成されている。そして、取付け体３は、電気絶縁性および高熱伝導性を有する合成樹脂、例えばポリブチレンテレフタレート（ＰＢＴ）樹脂により形成されている。  
【００１９】
取付け体３は、その他端側３ｂに設けた嵌合爪２７が外ケース１７の嵌合凹部１９に係止して外ケース１７に取り付けられている。嵌合爪２７は、周回方向に等間隔に嵌合凹部１９と同数が設けられている。そして、取付け体３は、その一端側３ａ（筐体４の一端側４ａ）の外面に凸条２８が螺旋状に形成されていて、この凸条２８に給電部としてのＥ形口金２９が螺合されている。Ｅ形口金２９は、取付け体３の一端側３ａの外面にかしめられて固定されている。  
【００２０】
Ｅ形口金２９は、例えばＥ２６形であり、凸条２８に螺合されてかしめられて固定される雄ねじ部３０、この雄ねじ部３０の先端側３０ａに設けられる絶縁部３１およびこの絶縁部３１の頂点に設けられる頂上接続部３２を有して構成されている。  
【００２１】
雄ねじ部３０は、例えばアルミニウム（Ａｌ）からなり、底部３０ｂを有する略円筒状に形成され、頂上接続部３２は、例えば真鍮からなり、凸条の外面３２ａを有する略円柱状に形成されている。絶縁部３１は、例えばガラスまたはセラミックからなり、円錐状に形成されて、雄ねじ部３０の底部３０ｂに接着されて取り付けられ、頂点に頂上接続部３２を設けている。  
【００２２】
雄ねじ部３０および頂上接続部３２は、電球用ソケットを介して外部電源にそれぞれ電気接続される。絶縁部３１は、それぞれ金属である雄ねじ部３０および頂上接続部３２を離間して電気絶縁している。Ｅ形口金２９は、取付け体３に雄ねじ部３０が取り付けられることにより、筐体４の一端側４ａに取り付けられている。  
【００２３】
そして、Ｅ形口金２９と、金属である外ケース１７とは、取付け体３の外周面３ｄにより絶縁されている。外ケース１７は、高熱伝導率を有する例えばアルミニウム（Ａｌ）により形成されることにより、発光体２に発生した熱を迅速に伝熱して、外面４ｆから放出させる。したがって、外ケース１７が高熱伝導率かつ電気絶縁性を有する合成樹脂やセラミックで形成されるものであれば、取付け体３を外ケース１７と一体に成形して筐体４を形成してもよい。  
【００２４】
こうして、筐体４は、一端側４ａに給電部としてのＥ形口金２９を有し、他端側４ｂに放熱板２０により平面状の基板取付面２２を有して、基板取付面２２に発光体２を取り付けている。なお、筐体４は、取付け体３が外ケース１７の一端側４ａから挿入されて外ケース１７に取り付けられる構造であれば、他端側４ｂの端面４ｄが平面状の基板取付面２２となるように形成してもよい。  
【００２５】
点灯装置５は、回路基板３９および回路基板３９に実装された多種類の回路部品４０を備えて形成されている。回路基板３９は、ガラスエポキシ材などの合成樹脂板からなり、筐体４の一端側４ａ（取付け体３の一端側３ａ）から他端側４ｂ（取付け体３の他端側３ｂ）に亘る長形に形成されて、筐体４の一端側４ａから他端側４ｂに沿う方向に配設されている。取付け体３の内面３ｃには、一端側３ａから他端側３ｂに亘って、互いに正対する一対の基板取付け溝４１，４１（図１中、一方のみを示す。）が直線状に設けられている。この一対の基板取付け溝４１，４１に回路基板３９の幅方向の両端部が圧入されて取り付けられている。回路基板３９は、一端側３９ｃから他端側３９ｄに向かうにつれ段階的に幅広に形成され、回路部品４０の実装面積を可能な限り大きくして、Ｅ形口金２９内を含む筐体４内に筐体４の一端側４ａから他端側４ｂに沿う方向に配設されている。  
【００２６】
回路基板３９は、少なくとも一面３９ａに回路部品４０が実装されている。回路部品４０は、トランスＴ１、コンデンサＣ１，Ｃ２および抵抗Ｒ１などの多数の部品からなっている。そして、回路基板３９の一端側３９ｃには、不図示の入力端子、他端側３９ｄには、不図示の出力端子が設けられている。入力端子には、入力線４２，４２が接続され、出力端子には、出力線１３，１３が接続されている。入力線４２，４２は、Ｅ形口金２９の頂上接続部３２および雄ねじ部３０に接続されている。また、出力線１３，１３は、コネクタ１２を装着し、このコネクタ１２が発光体２のコネクタ１１に接続されている。  
【００２７】
そして、点灯装置５は、回路部品４０および不図示の配線パターンなどにより、発光体２のＬＥＤ９を点灯する点灯回路を形成している。点灯回路は、入力端子に外部電源の交流電圧（ＡＣ１００Ｖ）が印加されると、交流電圧を所定の直流電圧に変換し、出力端子からＬＥＤ９に定電流を供給するように形成されている。  
【００２８】
カバー体６は、発光体２を覆うように筐体４の他端側４ｂに設けられている。カバー体６は、透光性を有する樹脂材料、例えばポリカーボネート（ＰＣ）樹脂からなり、筐体４の他端側４ｂに取り付けられるカバー本体部４３およびカバー本体部４３の内面４３ｂから突設する突出部４４を有してなる。カバー本体部４３および突出部４４は、本実施形態では、一体に成型されている。  
【００２９】
カバー本体部４３は、他端側６ｂが閉塞され一端側６ａが開口されるとともに発光体２を覆うように略球面状に形成されている。カバー本体部４３は、一端側６ａに係止爪２４が設けられており、この係止爪２４が筐体４の他端側４ｂの係止溝２６に係止して筐体４に取り付けられている。係止爪２４は、カバー本体部４３の一端側６ａの開口において、本実施形態では周回方向に等間隔に４個が形成されている。カバー体６は、係止爪２４が放熱板２０の切り欠き部２５に嵌め込まれた後、回動されることにより、係止溝２６に係止されている。  
【００３０】
突出部４４は、カバー本体部４３の中央部（頂部）４３ｃの内面４３ｂから垂下し、発光体２の基板８の中心部（図示しない中心８ｃ）に向かう円錐台に形成されている。すなわち、突出部４４は、基端側４４ｂから先端側４４ａに次第に径小する円錐状に形成されている。そして、先端側４４ａが複数個のＬＥＤ９により包囲されるとともに、基板８の一面８ａ側に接触しないように設けられている。  
【００３１】
次に、第１の実施形態の作用について述べる。  
【００３２】
発光装置（ＬＥＤ電球）１は、照明器具の電球用ソケットに装着される。そして、Ｅ形口金２９に外部電源の交流電圧が印加すると、点灯装置５が動作し、点灯装置５から発光体２の複数個のＬＥＤ９に所定の定電流（電力）が供給される。複数個のＬＥＤ９は、点灯して、白色光が放射される。  
【００３３】
複数個のＬＥＤ９から放射された白色光の一部は、カバー体６のカバー本体部４３を透過して、外面４３ａから外部空間に放射される。そして、白色光の一部は、突出部４４に入射し、カバー本体部４３の一端側６ａに反射される。この反射光は、外面４３ａから筐体４側の外部空間に向かって放射される。これにより、発光装置１は、広配光が得られる。  
【００３４】
そして、カバー体６の突出部４４は、その先端側４４ａが基板８に接触しないように設けられているので、高温となる基板８側からの熱伝導が抑制され、熱劣化が抑制される。これにより、突出部４４での反射率および透過率の低下や変色が抑制され、発光装置１の寿命に亘って突出部４４の機能が維持される。なお、反射光を増やし、より高配光化を実現するために、突出部４４の先端と基板８のＬＥＤ９の実装面との距離は、１０ｍｍ以内にするのが望ましい。また、突出部４４の先端に対向する基板８の実装面には、ＬＥＤ９は配置されていないのが望ましい。  
【００３５】
本実施形態の発光装置１によれば、複数個のＬＥＤ９の放射光の一部は、カバー体６の突出部４４に入射してカバー本体部４３の一端側６ａに反射されて、筐体４の外部空間に放射されるので、突出部４４を設けるという簡素な構成で、広配光を得ることができるとともに安価に形成可能であるという効果を有する。  
【００３６】
また、カバー体６の突出部４４の先端に対向する基板８の一面８ａ側には、ＬＥＤ９が配置されていないとともに、突出部４４の先端と基板８の一面８ａ側との距離が０ｍｍよりも大きく１０ｍｍ以下であるので、突出部４４は、基板８側からの熱伝導が抑制され、熱劣化が抑制されて、反射率および透過率の低下や変色が抑制されるという効果を有する。  
【００３７】
なお、本実施形態において、カバー体６の突出部４４は、円錐台に形成したが、これに限らず、円錐や円柱に形成されてもよい。また、円錐状や円柱状に限らず、六角形や八角形などの多角形の錐状に形成されてもよい。ただし、突出部４４は、反射光をよりＥ形口金２９の方向に導くために、基板８に向かって縮径する傾斜面を持った形状が最適である。その傾斜面の角度は、円柱状が０°であるのに対して、５〜１５°であるのが望ましい。また、突出部４４の表面に反射膜を形成するものであってもよい。また、カバー体６のカバー本体部４３は、略球面状でなくてもよく、他端側６ｂが閉塞され一端側６ａが開口されていればその形状が限定されるものでなく、例えば椀状や正方形の箱状であってもよい。また、カバー体６は、透光性のガラスで形成されてもよい。  
【００３８】
また、発光体２は、発光素子としてパッケージ品のＬＥＤ９を用いたが、これに限らず、ＬＥＤチップを用いて形成してもよい。また、半導体発光素子として、有機エレクトロルミネセンス（ＥＬ）素子を用いてもよい。また、給電部としてＥ形口金２９を設けたが、これに限らず、例えば差し込み形の口金であってもよい。また、筐体４は、滑らかに径大する略円錐台の筒状に限らず、円筒や角筒などの筒状であってもよい。  
【００３９】
また、本実施形態の発光装置１は、ＬＥＤ電球に構成したが、これに限らず、例えば点灯装置５を別置するスポットライトなどの発光装置であってもよい。  
【００４０】
次に、本発明の第２の実施形態について説明する。  
【００４１】
本実施形態の発光装置（ＬＥＤ電球）１Ａは、図３に示すように形成される。なお、図３において、図１と同一部分には同一符号を付して重複する説明は省略する。  
【００４２】
発光装置１Ａは、突出部４４が円錐台に形成され、先端側４４ａの端面に反射部４５が設けられたものである。反射部４５は、例えば高反射率を有する金属板、例えばアルミニウム（Ａｌ）により有底の円形の椀形に形成されている。反射部４５は、例えば接着剤により突出部４４に固着され、基板８の一面８ａ側に接触しないように突出部４４の先端側４４ａに設けられている。  
【００４３】
複数個のＬＥＤ９から放射された白色光の一部は、カバー本体部４３に直接的に入射して前面側の外部空間に放射される。また、白色光の一部は、反射部４５に入射してカバー本体部４３の一端側６ａ（基板取付部２２側）に反射され、その反射光がカバー本体部４３の外面４３ａから筐体４側の外部空間に向かって放射される。さらに、白色光の一部は、突出部４４に入射して反射され、その反射光がカバー本体部４３の外面４３ａから筐体４側の外部空間に向かって放射される。これにより、発光装置１Ａは、広配光が得られる。  
【００４４】
なお、反射部４５は、円形の椀形に限らず、多角形の椀形に形成されてもよい。また、円錐台、多角錐台、円錐や多角錐などの塊の錐状体に形成されてもよい。また、金属に限らず、例えば透光性を有する樹脂により形成されてもよい。  
【００４５】
次に、本発明の第３の実施形態について説明する。  
【００４６】
本実施形態の照明器具５１は、図４に示すように構成される。なお、図１と同一部分には、同一符号を付して説明は省略する。  
【００４７】
照明器具５１は、図１に示す発光装置（ＬＥＤ電球）１を使用するスポットライトであり、不図示のライティングレールに取り付けられる。照明器具５１は、器具本体５２、ソケットとしての電球用ソケット５３、図１に示す発光装置（ＬＥＤ電球）１、セード５４、アーム５５およびプラグ５６を有して構成されている。  
【００４８】
器具本体５２は、外周面５２ａに一対の取付部５７，５７（図４中、一方のみを示す。）を有する略円筒状の箱体に形成されている。器具本体５２は、例えばアルミダイカストにより形成されている。そして、一端側端面５２ｂに電球用ソケット５３を配設している。電球用ソケット５３は、磁器製であり、発光装置１が螺着されて接続されている。  
【００４９】
電球用ソケット５３の一部および発光装置１は、器具本体５２の一端側端面５２ｂに取り付けられたセード５４に収納されている。セード５４は、例えば厚さ０．８ｍｍの鋼板からなり、一端側５４ａよりも他端側５４ｂが幾分径大にされた略円筒状に形成されている。  
【００５０】
そして、器具本体５２は、一対の取付部５７，５７において、一対の調整ナット５８，５８（図４中、一方のみを示す。）を用いてアーム５５に、アーム５５に対して回動可能に取り付けられている。アーム５５は、例えばアルミダイキャストにより、所定長の円筒体に形成されている。そして、アーム５５は、プラグ５６に、プラグ５６に対して回動可能に取り付けられている。  
【００５１】
プラグ５６は、その本体部５９が略円筒状の箱体に形成されている。本体部５９は、例えばポリカーボネート樹脂により形成されている。そして、本体部５９の上面５９ａ側には、ライティングレールの被係止部に係止する一対の係止辺６０，６０およびライティングレールの導電部に電気接続する一対の端子辺６１，６１が設けられている。本体部５９の内部には、一対の端子辺６１，６１に電気接続されている一対の電源端子６２，６２（図４中、一方のみを示す。）が設けられており、この一対の電源端子６２，６２に電源線６３，６３（図４中、一方のみを示す。）が接続されている。そして、本体部５９の下面５９ｂにアーム５５が回動可能に取り付けられている。  
【００５２】
電源線６３，６３は、本体部５９内からアーム５５の内部を通って器具本体５２内に配線され、電球用ソケット５３に電気接続されている。これにより、ライティングレールに外部電源が投入されると、プラグ５６の一対の端子辺６１，６１に外部電源が供給されることにより、電球用ソケット５３が通電される。  
【００５３】
器具本体５２は、調整ナット５８，５８を緩めることにより、アーム５５に対して鉛直方向で０〜９０°回転され、調整ナット５８，５８を締め付けることにより、回転された鉛直角度でアーム５５に固定される。また、器具本体５２は、アーム５５に対して水平方向に回転力を加えることにより、アーム５５がプラグ５６に対して回転することにより、水平方向で０〜３６０°回転する。これにより、発光装置１を所定の方向に向けることができる。  
【００５４】
そして、照明器具５１は、電球用ソケット５３が通電されると、発光装置１の点灯装置５が動作し、発光体２の各ＬＥＤ９に所定の定電流が供給される。これにより、複数個のＬＥＤ９が点灯し、各ＬＥＤ９から白色光が放射される。白色光は、広配光でカバー体６から所定の照射方向に出射される。  
【００５５】
本実施形態の照明器具５１よれば、器具本体５２は、発光装置１を所定の照射方向に向けることができ、発光装置１は、ＬＥＤ９の放射光を広配光で放射するので、所望の照射空間や被照射物を広配光で照明できるという効果を有する。  
【００５６】
なお、本実施形態の照明器具５１は、ライティングレールに取り付けられるスポットライトに構成したが、これに限らず、埋め込み形、吊り下げ形や直付け形などの照明器具であってもよい。  
【００５７】
また、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００５８】
１，１Ａ…発光装置としてのＬＥＤ電球、  ２…発光体、  ４…筐体、  ６…カバー体、  ５…点灯装置、  ８…基板、  ９…発光素子としてのＬＥＤ、  ２２…基板取付部としての基板取付面、  ２９…給電部としてのＥ形口金、  ４３…カバー本体部、  ４４…突出部、  ４５…反射部、  ５１…照明器具、  ５２…器具本体、  ５３…ソケットとしての電球用ソケット
【図１】
2015191815.tif 000003
【図２】
2015191815.tif 000004
【図３】
2015191815.tif 000005
【図４】
2015191815.tif 000006